(57)【特許請求の範囲】
【請求項１】
容器本体の口部を取り囲んで該口部の上部に内部空間を形成するドーム状の蓋体を備え、フランジを有するポーションカップを前記内部空間に収納するポーションカップ付きの容器において、
前記ドーム状蓋体に、前記ポーションカップを前記内部空間に導入する導入口と、この導入口から前記ポーションカップを導入する際に前記内部空間に倒れ込んで該ポーションカップの底部を弾性的に保持する押え板と、前記導入口から前記内部空間に延在し前記ポーションカップのフランジと係合して該ポーションカップを前記内部空間に誘導するレール部とを備えることを特徴とする、ポーションカップ付きの容器。
【請求項２】
前記押え板は、前記ポーションカップの底面と接触する位置に突起部分を有するものである請求項１に記載の容器。
【発明の詳細な説明】
【０００１】
【発明の属する技術分野】
本発明は、容器本体の口部を取り囲んで該口部の上部に内部空間を形成するドーム状の蓋体を備え、フランジを有するポーションカップを前記内部空間に収納するポーションカップ付きの容器に関するものである。
【０００２】
【従来の技術】
生活環境の変化などから、近年、コーヒーゼリー等のデザート類やサラダなどを容器詰めした商品が普及している。こうした商品は、消費者の様々な味覚を満足させるため、コーヒーミルクやガムシロップ若しくはドレッシングなどを充填したポーションカップを別体に備えたポーションカップ付き容器にパッケージされている。
【０００３】
こうしたポーションカップ付き容器の需要は比較的高いため、本願出願人は先に、実公平６−３４３１０号公報に開示したポーションカップ付き容器を提案済みであり、この公報には、ポーションカップを蓋体の内部に取り付ける第1実施例と、ポーションカップの容器本体を蓋体の上面に形成した装着部材に嵌入すると共に、この装着部材の上方に形成した間隙にポーションカップのフランジを挟着させる第２実施例とが開示されている。
【０００４】
【発明が解決しようとする課題】
しかしながら、上記第１実施例では、ポーションカップを取り出す際に蓋体を取り外さなければならないため、蓋体を取り外さなくてもポーションカップを取り出せるように改良する余地があった。また上記第２実施例では、ポーションカップをそのフランジのみで固定するため、フランジを挟着させる間隙に緩みが生じるとセット後のポーションカップがガタつく可能性があり、ポーションカップのセット性に改良の余地があった。
【０００５】
本発明は、上述した問題点に鑑みてなされたものであって、蓋体を取り外さなくとも、蓋体へのセット性が良好で、且つ、蓋体からポーションカップを取り外し可能なポーションカップ付き容器を提供することを目的とする。
【０００６】
【課題を解決するための手段】
この課題を解決するため、第１発明であるポーションカップ付きの容器は、容器本体の口部を取り囲んで該口部の上部に内部空間を形成するドーム状の蓋体を備え、フランジを有するポーションカップを内部空間に収納するポーションカップ付きの容器において、ドーム状蓋体に、ポーションカップを内部空間に導入する導入口と、この導入口からポーションカップを導入する際に内部空間に倒れ込んで該ポーションカップの底部を弾性的に保持する押え板と、導入口から内部空間に延在しポーションカップのフランジと係合して該ポーションカップを内部空間に誘導するレール部とを備えることを特徴とするものである。
【０００７】
この場合、ポーションカップは、ドーム状蓋体に設けた導入口からレール部に沿って内部空間に誘導されるため、ドーム状蓋体を取り外さなくとも、ドーム状蓋体からポーションカップを出し入れすることができる。しかも、ドーム状蓋体の側面に設けた押え板が導入口からポーションカップを導入する際に内部空間に倒れ込んでポーションカップの底部を弾性的に保持するため、ポーションカップをガタ付かせることなくドーム状蓋体にセットすることができる。
【０００８】
従って第1発明によれば、ドーム状蓋体を取り外さなくとも、ドーム状蓋体へのセット性が良好で、且つ、ドーム状蓋体からポーションカップを取り外し可能なポーションカップ付き容器を提供することができる。
【０００９】
第２発明であるポーションカップ付きの容器は、上記第１発明において、上記押え板は、ポーションカップの底面と接触する位置に突起部分を有するものであることが好ましい。
【００１０】
【発明の実施の形態】
以下、本発明の一実施の形態を添付図面に参照して詳細に説明する。なお、ポーションカップ１は、図２に示す如く、その口部周りにフランジ１ｆを有すると共に、その底面１ｂに窪みを有するものである。
【００１１】
図１（ａ），（ｂ）はそれぞれ、本発明に係るポーションカップ付きカップ状容器１０を示し、（ａ）はポーションカップ１を蓋体内に収納する前の状態を示す斜視図、（ｂ）はポーションカップ１を収納した状態を示す斜視図である。また図２は、図１のカップ状容器１０を一部断面で示す側面図である。
【００１２】
カップ状容器１０は、図２に示す如く、例えば、ゼリーやサラダなどをパッケージングする容器本体１１と、容器本体１１の口部１１ａを取り囲んで該口部１１ａの上部に内部空間Ｒを形成するドーム状の蓋体１２からなる。
【００１３】
ドーム状蓋体１２は、図１（ａ）に示す如く、その側面に、ポーションカップ１を内部空間Ｒに導入する導入口１３を有する。この導入口１３の下端には、容器軸線Ｏ1（図２参照）方向に蓋体１２の側面に沿って上向きに延在するヒンジタイプの押え板１４が一体に成形されている。この押え板１４は、図２に示す如く、導入口１３からポーションカップ１を導入する際に内部空間Ｒに倒れ込んでポーションカップ１の底部１ｂを弾性的に保持するものであって、ポーションカップ１の底面１ｂの窪みと接触する位置に突起部分１４ｐを有する。導入口１３の上端両側には、導入口１３から内部空間Ｒに延在しポーションカップ１のフランジ１ｆと係合してポーションカップ１を内部空間Ｒに誘導するレール部１５が形成されている。
【００１４】
次に本実施形態の作用を説明する。
【００１５】
まずポーションカップ１を内部空間Ｒに収納する際の作用を説明する。導入口１３からポーションカップ１を導入する際、ポーションカップ１に押された押え板１４は、図２の破線に示す如く、内部空間Ｒに倒れ込んで導入口１３を開放し、ポーションカップ１のフランジ１ｆがレール部１５に係合する。このため、ポーションカップ１はレール部１５に沿って内部空間Ｒの所定位置（本実施形態では、図２に示す如く、ポーションカップ１が内部空間Ｒに完全に隠れる位置Ｘ）まで誘導され、この所定位置Ｘにて、押え板１４がその反力によってポーションカップ１の底部１ｂを押圧して弾性的に保持すると共に、押え板１４の突起部分１４ｐがポーションカップ１の底部１ｂの窪みに嵌まり込んでポーションカップ１を強固に保持する。
【００１６】
なお、カップ状容器１０は、図１（ｂ）の破線に示す如く、ポーションカップ１を収納した後、導入口１３にタックシール（バージンシール）Ｓを貼り付けてバージン性を確保してもよい。
【００１７】
これにより、ポーションカップ１は内部空間Ｒの所定位置Ｘに収納される。そして、ポーションカップ１を内部空間Ｒから取り出す際には、ポーションカップ１のフランジ１ｆを指で摘んでそのまま引き出せばよい。
【００１８】
つまり、ポーションカップ１は、ドーム状蓋体１２に設けた導入口１３からレール部１５に沿って内部空間Ｒに誘導されるため、ドーム状蓋体１２を取り外さなくともドーム状蓋体１２からポーションカップ１を出し入れすることができる。しかも、ドーム状蓋体１２の側面に設けた押え板１４が導入口１３からポーションカップ１を導入する際に内部空間Ｒに倒れ込んでポーションカップ１の底部１ｂを弾性的に保持するため、ポーションカップ１をガタ付かせることなく、ドーム状蓋体１２にセットすることができる。
【００１９】
従って、カップ状容器１０によれば、蓋体１２を取り外さなくとも、蓋体１２へのセット性が良好で、且つ、蓋体１２からポーションカップ１を取り出し可能なポーションカップ付き容器を提供することができる。
【００２０】
また本実施形態の押え板１４は、ポーションカップ１の底面１ｂと接触する位置に突起部分１４ｐを有するものであり、この突起部分１４ｐがポーションカップ１の底面１ｂの窪みにはまり込んでポーションカップ１の底面１ｂを強固に保持することができるから、ドーム状蓋体１２へのセット性がさらに良好なものとなる。なお、ポーションカップ１の底面１ｂが平坦であっても、突起部分１４ｐ付近では点接触であるため、ポーションカップ１を強固に保持することができる。また、図示はしないが、突起部分１４ｐは、ポーションカップの底面立上がり部となる外周を支えるよう、連続的あるいは断続的に設けることも可能であり、この場合、突起部分１４ｐ付近では、線接触もしくは点接触となり、ポーションカップ１を強固に保持することができる。さらに、押え板１４は、商品の流通時にポーションカップ１を保持する機能の他に、ドーム状蓋体１２の成形時には、金型から抜き易くするという機能を兼ね備える。
【００２１】
上述したところは、本発明の好適な実施例を示したにすぎず、当業者によれば、請求の範囲において、種々の変更を加えることができる。例えば、ポーションカップを保持する押え板１４は、ポーションカップ１の底面１ｂ若しくは底面立上がり部となる外周と接触する位置に突起部分１４ｐを有するものであるが、その底面１ｂと接触する部分は突起部分１４ｐを有しない平坦な形状であってもよい。またドーム状蓋体１２の形状も、本実施形態の如くの円柱形状に限らず、多角柱形状や、円錐形状または角錐形状であってもよい。さらに、ポーションカップは、外周部にフランジを有する容器であれば、ポーションカップ１に限るものではない。
【００２２】
【発明の効果】
上述したことから明らかな如く、第１発明に係るポーションカップ付き容器によれば、ドーム状蓋体に、ポーションカップを内部空間に導入する導入口と、この導入口からポーションカップを導入する際に内部空間に倒れ込んで該ポーションカップの底部を弾性的に保持する押え板と、導入口から内部空間に延在しポーションカップのフランジと係合して該ポーションカップを内部空間に誘導するレール部とを備えることにより、蓋体を取り外さなくとも、蓋体へのセット性が良好で、且つ、蓋体からポーションカップを取り出し可能なポーションカップ付き容器を提供することができる。
【００２３】
また第２発明は、上記第１発明において、上記押え板がポーションカップの底面と接触する位置に突起部分を有するものであるから、突起部分１４ｐ付近ではポーションカップと接触して、ポーションカップの底面を強固に保持することができるため、蓋体へのセット性がさらに良好なものとなる。
【図面の簡単な説明】
【図１】（ａ），（ｂ）はそれぞれ、本発明に係るポーションカップ付きカップ状容器を示し、（ａ）はポーションカップを蓋体内に収納する前の状態を示す斜視図、（ｂ）はポーションカップを収納した状態を示す斜視図である。
【図２】図１のカップ状容器を一部断面で示す側面図である。
【符号の説明】
１  ポーションカップ
１ｂ  底部
１ｆ  フランジ
１０  カップ状容器
１１  容器本体
１２  ドーム状蓋体
１３  導入口
１４  押え板
１４ｐ  突起部分
１５  レール部
Ｒ  内部空間
Ｓ  タックシール
【図１】
0004198341.tif 000002
【図２】
0004198341.tif 000003